【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
ハイポクロライト、
ケイ酸マグネシウムナトリウムを含む乳化剤、
シリコーンポリマー、及び
バッファー
を含む個人用潤滑剤。
【請求項２】
バッファーがリン酸ナトリウムバッファーである、請求項１に記載の個人用潤滑剤。
【請求項３】
バッファーが約0.05質量/体積%、0.1質量/体積%、0.2質量/体積%、0.3質量/体積%、0.4質量/体積%、0.5質量/体積%、1質量/体積%、1.5質量/体積%、2質量/体積%、2.5質量/体積%、3質量/体積%、3.5質量/体積%、4質量/体積%、4.5質量/体積%、5質量/体積%、6質量/体積%、7質量/体積%、10質量/体積%又は15質量/体積%の量で存在する、請求項１に記載の個人用潤滑剤。
【請求項４】
バッファーが約0.2質量/体積%の量で存在する、請求項１に記載の個人用潤滑剤。
【請求項５】
ハイポクロライトが約50から約100ppmの量で存在する、請求項1に記載の個人用潤滑剤。
【請求項６】
ハイポクロライトが約75ppmの量で存在する、請求項1に記載の個人用潤滑剤。
【請求項７】
ケイ酸マグネシウムナトリウムが約0.05質量/体積%、0.1質量/体積%、0.2質量/体積%、0.3質量/体積%、0.4質量/体積%、0.5質量/体積%、1質量/体積%、1.5質量/体積%、2質量/体積%、2.5質量/体積%、3質量/体積%、3.5質量/体積%、4質量/体積%、4.5質量/体積%、5質量/体積%、6質量/体積%、7質量/体積%、10質量/体積%又は15質量/体積%の量で存在する、請求項1に記載の個人用潤滑剤。
【請求項８】
ケイ酸マグネシウムナトリウムが約3.25質量/体積%の量で存在する、請求項1に記載の個人用潤滑剤。
【請求項９】
シリコーンポリマーがジメチコンである、請求項1に記載の個人用潤滑剤。
【請求項１０】
シリコーンポリマーが約0.5質量/体積%、1質量/体積%、5質量/体積%、10質量/体積%、15質量/体積%、20質量/体積%、30質量/体積%、40質量/体積%又は50質量/体積%の量で存在する、請求項1に記載の個人用潤滑剤。
【請求項１１】
シリコーンポリマーが約10質量/体積%の量で存在する、請求項1に記載の個人用潤滑剤。
【請求項１２】
水を更に含む、請求項1に記載の個人用潤滑剤。
【請求項１３】
凝固点浸透圧測定で測定した場合に約10、15、20、21、22、23、24、25、26、27、28、29、30、35、40、45、50、51、52、53、54、55、56、57、58、59、60、65、70、80、90又は100mOsm/kgの重量モル浸透圧濃度を有する、請求項1に記載の個人用潤滑剤。
【請求項１４】
凝固点浸透圧測定で測定した場合に約22mOsm/kgの重量モル浸透圧濃度を有する、請求項1に記載の個人用潤滑剤。
【請求項１５】
凝固点浸透圧測定で測定した場合に約54mOsm/kgの重量モル浸透圧濃度を有する、請求項1に記載の個人用潤滑剤。
【請求項１６】
ハイポクロライトが約75ppmの量であり、シリコーンポリマーが約10質量/体積%の量のジメチコンを含み、乳化剤が約0.2質量/体積%の量のリン酸ナトリウムバッファーを含み、
約3.25質量/体積%の量のケイ酸マグネシウムナトリウム及び約61.55質量/体積%の量の水を含む、請求項１に記載の個人用潤滑剤。
【請求項１７】
快感又は潤滑性を増加させるための、請求項1に記載の個人用潤滑剤の使用。
【請求項１８】
請求項16に記載の個人用潤滑剤を供する工程を含む、快感及び潤滑性を増加させるための方法。
【請求項１９】
ハイポクロライト溶液及びシリコーンポリマーを準備する工程、並びにこれらの成分を混合して潤滑剤を形成する工程を含む、請求項１６に規定の個人用潤滑剤を製造する方法。
【請求項２０】
ハイポクロライト、
ケイ酸マグネシウムナトリウムを含む乳化剤、及び
シリコーンポリマー
を含む潤滑剤を準備する工程と、
前記潤滑剤を微生物感染のある部分に塗布する工程とを含む、微生物感染を抑制する方法。
【請求項２１】
前記感染がウイルス感染である、請求項２０に記載の方法。
【請求項２２】
前記ウイルス感染が、ＨＩＶ、ＨＳＶ、又はＨＢＶの感染を含む、請求項２１に記載の方法。
【請求項２３】
前記感染が、細菌感染である、請求項２０に記載の方法。
【請求項２４】
前記細菌感染が、クラミジア、ゴノレア、ガードネレラ、マイコプラズマ、又はカンピロバクターの感染を含む、請求項２３に記載の方法。
【請求項２５】
前記感染が真菌感染である、請求項２０に記載の方法。
【請求項２６】
前記真菌感染が、カンジダ属の酵母の１種以上により引き起こされる、請求項２５に記載の方法。
【請求項２７】
前記カンジダ属の酵母の種が、カンジダ・アルビカンス、カンジダ・デュブリニエンシス、カンジダ・パラプシロシス、カンジダ・トロピカリス、カンジダ・ケフィル、カンジダ・ギリエルモンジィ、カンジダ・インコンスピクア、カンジダ・ファマータ、カンジダ・グラブラータ、カンジダ・クルセイ、カンジダ・ルシタニエ、及びこれらの組み合わせからなる群から選択される、請求項２６に記載の方法。
【請求項２８】
ハイポクロライトが約50から約100ppmの量である、請求項２０に記載の方法。
【請求項２９】
ケイ酸マグネシウムナトリウムが約0.05質量/体積%、0.1質量/体積%、0.2質量/体積%、0.3質量/体積%、0.4質量/体積%、0.5質量/体積%、1質量/体積%、1.5質量/体積%、2質量/体積%、2.5質量/体積%、3質量/体積%、3.25質量/体積%、3.5質量/体積%、4質量/体積%、4.5質量/体積%、5質量/体積%、6質量/体積%、7質量/体積%、10質量/体積%又は15質量/体積%の量である、請求項２０に記載の方法。
【請求項３０】
シリコーンポリマーが約0.5質量/体積%、1質量/体積%、5質量/体積%、10質量/体積%、15質量/体積%、20質量/体積%、30質量/体積%、40質量/体積%又は50質量/体積%の量である、請求項２０に記載の方法。
【請求項３１】
ハイポクロライトが約75ppmの量であり、ケイ酸マグネシウムナトリウムが約3.25質量/体積%の量であり、シリコーンポリマーが約10質量/体積%の量のジメチコンを含む、請求項２０に記載の方法。
【請求項３２】
ハイポクロライト、
ケイ酸マグネシウムナトリウムを含む乳化剤、及び
シリコーンポリマー
を含む潤滑剤を準備する工程と、
前記潤滑剤を生殖器領域の刺激又は不快感のある部分に塗布する工程とを含む、生殖器領域の刺激又は不快感を処置する方法。
【請求項３３】
前記生殖器領域が膣領域又は外陰腟領域である、請求項３２に記載の方法。
【請求項３４】
前記潤滑剤を塗布する工程が、潤滑剤を生殖器領域に塗布する工程、又は潤滑剤を対象中へ挿入するための、挿し込むための又は導入するための医療器具に適用する工程を含む、請求項３２に記載の方法。
【請求項３５】
前記医療器具が、検鏡、カテーテル、又は超音波装置である、請求項３４に記載の方法。
【請求項３６】
ハイポクロライトが約50から約100ppmの量である、請求項３２に記載の方法。
【請求項３７】
ケイ酸マグネシウムナトリウムが約0.05質量/体積%、0.1質量/体積%、0.2質量/体積%、0.3質量/体積%、0.4質量/体積%、0.5質量/体積%、1質量/体積%、1.5質量/体積%、2質量/体積%、2.5質量/体積%、3質量/体積%、3.25質量/体積%、3.5質量/体積%、4質量/体積%、4.5質量/体積%、5質量/体積%、6質量/体積%、7質量/体積%、10質量/体積%又は15質量/体積%の量である、請求項３２に記載の方法。
【請求項３８】
シリコーンポリマーが約0.5質量/体積%、1質量/体積%、5質量/体積%、10質量/体積%、15質量/体積%、20質量/体積%、30質量/体積%、40質量/体積%又は50質量/体積%の量である、請求項３２に記載の方法。
【請求項３９】
ハイポクロライトが約75ppmの量であり、ケイ酸マグネシウムナトリウムが約3.25質量/体積%の量であり、シリコーンポリマーが約10質量/体積%の量のジメチコンを含む、請求項３２に記載の方法。